(57)【要約】【課題】使用者が歩行台上方において走行もしくはランニングする以外、同時に両手左右で交互に引張器を引っ張ることも可能な多種機能運動効果を持つウォーキングマシンを提案する。【解決手段】本考案のウォーキングマシンは、多種運動機能を持つウォーキングマシンであり、そのウォーキングマシンの歩行台後方両側にはそれぞれ引張器を設け、使用者が歩行台上方において走行もしくはランニングする以外、同時に両手左右で交互に引張器を引っ張ることも可能であり、足、腿、腰、手等身体の相関箇所の多種機能運動効果を持つことを特徴とする。【選択図】図１
0003123224.tif 000002
【実用新案登録請求の範囲】
【請求項１】
基本体とランニング台等構成要素から成るウォーキングマシンにおいて、
その基本体両側には、枠体及び枠体と接続されたハンドルを設け、そのランニング台は、使用者がその上方で走行もしくはランニング運動を行うものであり、
ランニング台の後方両側にはそれぞれ引張器を設け、その引張器にはそれぞれ取手を取り付け、その取手は引張縄の一端に接続し、取手のもう一端は引張器内に接続し、取手は適当な負荷を受けて引張縄を外側に引っ張っており、
使用者はランニング台上方において走行もしくはランニングし、同時に左右両手で交互に引張器の引張縄を引張り、足部、腿部、腰部、胸部、手部など相関箇所の運動効果を達成するものであり、
糸巻車、回転車、カバー、第二カバー等の構成要素により成る前記引張器において、
糸巻車は、その車体中央位置側面に一方向軸受を固設し、別の側面には凹溝空間を設け、凹溝空間の中間箇所において軸管に固定体を貫通させ、並びに、桿体を具えた固定体に前記凹溝空間に別に設けた渦巻状バネの一端を固定し、渦巻状バネの別の一端は凹溝空間外側に設けた引掛溝に引掛けて定位し、固定体はカバーの枢着体に枢着し、また、糸巻車の車体の側面に引張縄を巻き付け、引張縄の一端は定位体の穿孔に通した後、まず制止部品に接続し、更に前記取手に接続し、引張縄を引っ張ると、糸巻車は即刻回転し、前記固定体の桿体の動きにより渦巻状バネの一端が締め付けられ、且つ引張縄の引張りが停止すると、渦巻状バネの弾性回復力により引張縄は自動的に引き戻され、
回転車は、中央に固設する車軸がそれぞれ回転車の両側を貫通し、その車軸の一端が前記糸巻車を設けた一方向軸受に嵌入し、
カバーは、軸孔を具えた枢着体を固設し、また、カバーは、第二カバーと接続し、カバーには別に半円形部を設け、
第二カバーは、軸受を枢設する枢着溝を設け、その軸受は前記回転車の車軸の一端を挿通させ、また、第二カバーはカバーと結合させ、且つ、第二カバーには半円形部を設け、その第二カバーと前記カバーが螺着結合されると、前記の接続管も安定して定位し、第二カバーの上方には別に負荷調節装置を設けるが、それは、第二カバーに設けられる導螺管支持体と定位仕切版間の導螺管を含み、その導螺管の一端には回転ツマミを接続し、導螺管のもう一端はスライド体を貫通させ螺着し、導螺管の一端にバネの一端を引掛け、並びにバネの一端と負荷板の一端を接続し、負荷板の一端は前記スライド体の別の一端に接続し、負荷板は回転車の車面に接触している為、回転車が回転すると負荷を形成するのに対して、糸巻車が回転した場合も負荷を発生し、更に回転ツマミを正逆方向に回転させた場合は、導螺管がスライド体を駆動して上下にスライドさせることで、負荷板が回転車を締め付ける負荷の大きさを調節でき、これに対応して引張縄が外側に引っ張られる時の負荷の大きさも調節されることを特徴とするウォーキングマシン。
【請求項２】
請求項１記載のウォーキングマシンにおいて、前記引張器は支持部上方に接続し、支持部の下方はランニング台後方両側に接続し、且つ引張器に接続した支持部の下方に嵌入管を設け、嵌入管はランニング台後方両側に設けた定位管に挿通し、並びに、嵌入管に設けた定位桿を定位管の一組の定位凹溝を選択してそれに嵌入すると、嵌入管の内側が前記定位管内の定位凸縁の外側を圧して制止し、且つ定位管のもう一端にはバネを取り付け、そのバネの一端は前記定位管の定位凸縁の内側を圧して制止、その後更に螺着部を具えるプッシュ体をバネに通し、並びに螺着部を回転させて前記嵌入管内側の内螺着孔に螺着し、また前記支持部の下方は別の螺着部品によって二つの支持部カバーを被冠しており、前記支持部の角度を調節したい場合は、プッシュ体を嵌入管方向にプッシュするだけでよく、プッシュ体がバネを圧縮し嵌入管及び嵌入管に接続する支持部を一緒に外側に推移させ、嵌入管の定位桿が定位管の一組の定位凹溝を離脱すると、支持部は軸回転可能な状態となり、更に定位桿を別の一組の定位凹溝内に嵌入させることにより、支持部は引張器を伴って異なる角度に調節されることを特徴とするウォーキングマシン。
【請求項３】
請求項１記載のウォーキングマシンにおいて、前記ランニング台の後方両側に設ける引張器は、従来の引張器であり、この種の引張器は同様に、取手と取手によって外側に引っ張られる引張縄を具えることを特徴とするウォーキングマシン。
【請求項４】
基本体とランニング台等構成要素から成るウォーキングマシンにおいて、
その基本体両側には、枠体及び枠体と接続するハンドルを設け、そのランニング台は、使用者がその上方で走行もしくはランニング運動を行うものであり、
ランニング台の後方両側にはそれぞれ引張器を設け、その引張器にはそれぞれ取手を取り付け、その取手は引張縄の一端に接続し、取手のもう一端は引張器内に接続し、取手は適当な負荷を受けて引張縄を外側に引っ張っており、
使用者はランニング台上方において走行もしくはランニングし、同時に左右両手で交互に引張器の引張縄を引張り、足部、腿部、腰部、胸部、手部など相関箇所の運動効果を達成するものであり、前記の二つの引張器は、それぞれ支持部に接続し、更にそれぞれ支持部からランニング台の後方両側に接続することを特徴とするウォーキングマシン。
【考案の詳細な説明】
【技術分野】
【０００１】
本考案はウォーキングマシンに係り、特に、多種運動機能を持つウォーキングマシンであって、そのウォーキングマシンの歩行台後方両側にはそれぞれ引張器を設け、使用者が歩行台上方において走行もしくはランニングする以外、同時に両手左右で交互に引張器を引っ張ることも可能であり、足部、腿部、腰部、手部等身体の相関箇所の多種機能運動効果を持つ、ウォーキングマシンに関するものである。
【背景技術】
【０００２】
従来のランニングマシンもしくは電動ランニングマシンは、使用者にランニング台上方でランニングもしくは走行運動をさせて、足部、腿部と身体相関箇所の運動効果を達成するものである。
【０００３】
しかし、手部、腰部、胸部等相関箇所の運動効果は明らかに不足、並びに、一台のランニングマシンもしくは電動ランニングマシンの体積は一般に非常に大きく、単純な走行もしくはランニング機能を持つだけなら実際相当な場所浪費となる。
【考案の開示】
【考案が解決しようとする課題】
【０００４】
本考案ウォーキングマシンの主な目的は、同一マシン台後方両側に引張器を設け、使用者が走行もしくはランニングする以外、同時に両手左右で交互に引張器を引っ張ることを選択可能とし、足部、腿部、腰部、手部等相関箇所の運動効果を持つウォーキングマシンを提案することにある。
【０００５】
本考案ウォーキングマシンの第二目的は、後方両側に設けた引張器は、支持部に接続され、その支持部は、使用者個人が必要とする角度に調節できるウォーキングマシンを提案することにある。
【０００６】
本考案ウォーキングマシンの第三目的は、一般のランニングマシンもしくは電動ランニングマシンのランニング台の後方両側に引張器を設け、同一マシンの空間を有意義に用い、手部、胸部など相関箇所の運動効果をアップするウォーキングマシンを提案することにある。
【課題を解決するための手段】
【０００７】
請求項１の考案は、基本体とランニング台等構成要素から成るウォーキングマシンにおいて、
その基本体両側には、枠体及び枠体と接続されたハンドルを設け、そのランニング台は、使用者がその上方で走行もしくはランニング運動を行うものであり、
ランニング台の後方両側にはそれぞれ引張器を設け、その引張器にはそれぞれ取手を取り付け、その取手は引張縄の一端に接続し、取手のもう一端は引張器内に接続し、取手は適当な負荷を受けて引張縄を外側に引っ張っており、
使用者はランニング台上方において走行もしくはランニングし、同時に左右両手で交互に引張器の引張縄を引張り、足部、腿部、腰部、胸部、手部など相関箇所の運動効果を達成するものであり、
糸巻車、回転車、カバー、第二カバー等の構成要素により成る前記引張器において、
糸巻車は、その車体中央位置側面に一方向軸受を固設し、別の側面には凹溝空間を設け、凹溝空間の中間箇所において軸管に固定体を貫通させ、並びに、桿体を具えた固定体に前記凹溝空間に別に設けた渦巻状バネの一端を固定し、渦巻状バネの別の一端は凹溝空間外側に設けた引掛溝に引掛けて定位し、固定体はカバーの枢着体に枢着し、また、糸巻車の車体の側面に引張縄を巻き付け、引張縄の一端は定位体の穿孔に通した後、まず制止部品に接続し、更に前記取手に接続し、引張縄を引っ張ると、糸巻車は即刻回転し、前記固定体の桿体の動きにより渦巻状バネの一端が締め付けられ、且つ引張縄の引張りが停止すると、渦巻状バネの弾性回復力により引張縄は自動的に引き戻され、
回転車は、中央に固設する車軸がそれぞれ回転車の両側を貫通し、その車軸の一端が前記糸巻車を設けた一方向軸受に嵌入し、
カバーは、軸孔を具えた枢着体を固設し、また、カバーは、第二カバーと接続し、カバーには別に半円形部を設け、
第二カバーは、軸受を枢設する枢着溝を設け、その軸受は前記回転車の車軸の一端を挿通させ、また、第二カバーはカバーと結合させ、且つ、第二カバーには半円形部を設け、その第二カバーと前記カバーが螺着結合されると、前記の接続管も安定して定位し、第二カバーの上方には別に負荷調節装置を設けるが、それは、第二カバーに設けられる導螺管支持体と定位仕切版間の導螺管を含み、その導螺管の一端には回転ツマミを接続し、導螺管のもう一端はスライド体を貫通させ螺着し、導螺管の一端にバネの一端を引掛け、並びにバネの一端と負荷板の一端を接続し、負荷板の一端は前記スライド体の別の一端に接続し、負荷板は回転車の車面に接触している為、回転車が回転すると負荷を形成するのに対して、糸巻車が回転した場合も負荷を発生し、更に回転ツマミを正逆方向に回転させた場合は、導螺管がスライド体を駆動して上下にスライドさせることで、負荷板が回転車を締め付ける負荷の大きさを調節でき、これに対応して引張縄が外側に引っ張られる時の負荷の大きさも調節されることを特徴とするウォーキングマシンとしている。
請求項２の考案は、請求項１記載のウォーキングマシンにおいて、前記引張器は支持部上方に接続し、支持部の下方はランニング台後方両側に接続し、且つ引張器に接続した支持部の下方に嵌入管を設け、嵌入管はランニング台後方両側に設けた定位管に挿通し、並びに、嵌入管に設けた定位桿を定位管の一組の定位凹溝を選択してそれに嵌入すると、嵌入管の内側が前記定位管内の定位凸縁の外側を圧して制止し、且つ定位管のもう一端にはバネを取り付け、そのバネの一端は前記定位管の定位凸縁の内側を圧して制止、その後更に螺着部を具えるプッシュ体をバネに通し、並びに螺着部を回転させて前記嵌入管内側の内螺着孔に螺着し、また前記支持部の下方は別の螺着部品によって二つの支持部カバーを被冠しており、前記支持部の角度を調節したい場合は、プッシュ体を嵌入管方向にプッシュするだけでよく、プッシュ体がバネを圧縮し嵌入管及び嵌入管に接続する支持部を一緒に外側に推移させ、嵌入管の定位桿が定位管の一組の定位凹溝を離脱すると、支持部は軸回転可能な状態となり、更に定位桿を別の一組の定位凹溝内に嵌入させることにより、支持部は引張器を伴って異なる角度に調節されることを特徴とするウォーキングマシンとしている。
請求項３の考案は、請求項１記載のウォーキングマシンにおいて、前記ランニング台の後方両側に設ける引張器は、従来の引張器であり、この種の引張器は同様に、取手と取手によって外側に引っ張られる引張縄を具えることを特徴とするウォーキングマシンとしている。
請求項４の考案は、基本体とランニング台等構成要素から成るウォーキングマシンにおいて、
その基本体両側には、枠体及び枠体と接続するハンドルを設け、そのランニング台は、使用者がその上方で走行もしくはランニング運動を行うものであり、
ランニング台の後方両側にはそれぞれ引張器を設け、その引張器にはそれぞれ取手を取り付け、その取手は引張縄の一端に接続し、取手のもう一端は引張器内に接続し、取手は適当な負荷を受けて引張縄を外側に引っ張っており、
使用者はランニング台上方において走行もしくはランニングし、同時に左右両手で交互に引張器の引張縄を引張り、足部、腿部、腰部、胸部、手部など相関箇所の運動効果を達成するものであり、前記の二つの引張器は、それぞれ支持部に接続し、更にそれぞれ支持部からランニング台の後方両側に接続することを特徴とするウォーキングマシンとしている。
【考案の効果】
【０００８】
本考案のウォーキングマシンは、下記の特徴を有する。
１．ウォーキングマシンのランニング台2 後方両側21には、それぞれ引張器3 を設け、使用者がランニング台2 上方で走行もしくはランニングする他、同時に左右両手で交互に引張器3 を引っ張ることも可能であり、足部、腿部、腰部、手部等身体の相関箇所の多種機能運動効果を達成する。
２．引張器3 は負荷調節装置を増設し、引張器3 の引張縄32が引っ張る時の運動負荷を調節、使用者の需要に応じて便利に調節使用できる。
３．引張器3 は支持部5 に接続し、また、支持部5 とランニング台2 間の角度は調節できる為、使用者の異なる状況に応じることができる。
４．市場に出ている従来の引張器を選択することも可能であり、ランニング台2 の後方両側21にそれぞれ取り付ける。
【考案を実施するための最良の形態】
【０００９】
図１〜図２０に示すとおり、基本体1 とランニング台2 等構成要素から成る本考案の多機能ウォーキングマシンにおいて、その基本体1 両側には枠体11及び枠体11と接続するハンドル12を設け、そのランニング台2 は、使用者がその上方で走行もしくはランニング運動を行って（図３、図４参照）足部、腿部、腰部等相関箇所の運動効果を達成することを特徴とする。
【００１０】
前記ランニング台2 の後方両側にはそれぞれ引張器3 を設け、その引張器3 にはそれぞれ取手31を取り付け、その取手31は引張縄32の一端に接続し、取手31のもう一端は引張器3 内に接続し、取手31は適当な負荷を受けて引張縄32を外側に引っ張っている。
【００１１】
前記特徴により、使用者はランニング台2 上方において走行もしくはランニングすることができ、同時に左右両手で交互に引張器3 の引張縄32を引張り（図２参照）、足部、腿部、腰部、胸部、手部など相関箇所の運動効果を達成する。
【００１２】
また、図７〜図１０に示すとおり、前記ランニング台2 後方両側に設けた引張器3 は次の構成要素を含む。
糸巻車33はその車体中央位置側面に一方向軸受331 を固設し、別の側面には（図８、図２０参照）凹溝空間330 を設けており、凹溝空間330 の中間箇所において軸管3321を固定体332 に貫通させ、並びに、桿体3322を具える固定体332 は前記凹溝空間330 に別に設けた渦巻状バネ333 の一端3331を固定し、渦巻状バネ333 の別の一端は凹溝空間330 外側に設けた引掛溝3301に引掛かって定位し、固定体332 はカバー35の枢着体352 に枢着し、また、糸巻車33の車体の側面に引張縄32を巻き付けるが、引張縄32の一端は定位体37の穿孔371 に通した後、まず制止部品380 に接続し、更に前記取手31に接続し、引張縄32を引っ張ると、糸巻車33は即刻回転し、前記固定体332 の桿体3322の動きにより渦巻状バネ333 の一端3331は締め付けられ、且つ引張縄32の引張りを停止させると、渦巻状バネ333 の弾性回復力により引張縄32は自動的に引き戻され、また、糸巻車33の車体の別の一側面には、穿孔3341を具える下蓋334 を別に固定する。
【００１３】
回転車34は、中央に固設する車軸341 はそれぞれ回転車34の両側に貫通しており、その車軸341 の一端3411は前記糸巻車33が設けた一方向軸受331 に嵌入する。
カバー35は、軸孔3521を具える枢着体352 を固設し、また、カバー35に設けた複数の定位柱351 は、螺着部品（未図示）によって第二カバー36と螺着接続し、カバー35の一側面に具えた欠けた溝には突出部353 を形成し、定位体37の嵌合溝372 の一端と嵌合するものとし、カバー35に具えた半円形部354 には定位柱3541を設けて接続管30の定位孔301 に貫通する。
【００１４】
第二カバー36（図１０参照）は、軸受360 を枢設する枢着溝361 を設け、その軸受360 は前記回転車34の車軸341 の一端3412を挿通させ、また、第二カバー36に設けた複数の定位柱39は螺着部品（未図示）によってカバー35と螺着結合させ、且つ、第二カバー36の一端に具える欠けた箇所には突出部363 を形成して、定位体37の嵌合溝372 の一端を嵌入させ、また、第二カバー36に別に設けた半円形部364 には、定位柱3641を設け（図１１参照）、接続管30一端の定位孔（未図示）に貫入し、第二カバー36に別に設けた定位溝3631には、固定桿38の一端381 を嵌入し、更に固定桿38は接続管30に嵌入接続しており、第二カバー36と前記カバー35が螺着結合されると、前記の接続管30と定位体37も安定して定位する。
【００１５】
図７〜図１２に示すとおり、前記の第二カバー36の上方には別に負荷調節装置を設けるが、それは、第二カバー36に設けた導螺管支持体365 と定位仕切版366 間の導螺管367 を含み、その導螺管367 の一端は回転ツマミ368 に接続し、導螺管367 のもう一端はスライド体369 に貫通して螺着、導螺管367 の一端とバネ40の一端401 は引掛けてあり、並びにバネ40の一端402 と負荷板4 の一端41を接続し、負荷板4 の一端42は前記スライド体369 の別の一端に接続し、負荷板4 は回転車34の車面に接触している為、回転車34が回転すると負荷を起こすのに対して、糸巻車33が回転した場合も負荷が発生、更に回転ツマミ368を正逆方向に回転させた場合は（図１１及び図１２参照）、導螺管367 がスライド体369 を連動して上下にスライドさせると、負荷板4 が回転車34を締め付ける負荷の大きさを調節、相対して引張縄32が外側に引っ張られる時の負荷の大きさも調節される。
また、前記ランニング台2 後方両側に設けた引張器3 は、従来の引張器の選択も可能であり、この種の引張器も同様に、取手31と取手31によって外側に引っ張る引張縄32を具えるものとする。
【００１６】
また、図５及び図６に示すとおり、前記引張器3 に接続する接続管30に設けた定位孔303 は、支持部5 上方に設けた弾性の定位嵌合部51に嵌合接続し、更に支持部5 の下方はランニング台2 後方両側に接続する。
【００１７】
また、図１３〜図１８に示すとおり、前記引張器3 に接続した支持部5 の下方には嵌入管53を設けることも可能であり、嵌入管53はランニング台2 後方両側21に設けた定位管211 に貫入（図１５〜図１７参照）、並びに、嵌入管53に設けた定位桿531 は定位管211 の一組の定位凹溝2111を選択して嵌入（図１７〜図１８参照）すると調度、嵌入管53の内側532 は前記定位管211 内の定位凸縁212 の外側2121を圧して制止し、且つ定位管211 のもう一端にはバネ54を取り付け、そのバネ54の一端は前記定位管211 の定位凸縁212 の内側2122を圧して制止、その後更に螺着部553 を具えるプッシュ体55をバネ54に通し、並びに螺着部553 を回転させて前記嵌入管53内側の内螺着孔533 に螺着、また前記支持部5 の下方は別の螺着部品（未図示）によって二つの支持部カバー56、57を被冠しており、前記支持部5 の角度を調節したい場合は、プッシュ体55を嵌入管53方向にプッシュするだけでよく、プッシュ体55がバネ54を圧縮し嵌入管53及び嵌入管53に接続する支持部5 を一緒に外側に推移させ、嵌入管53の定位桿531 が定位管211 の一組の定位凹溝2111を離脱すると、支持部5 は軸回転可能な状態となり、更に定位桿531 を別の一組の定位凹溝2111内に嵌入させることにより、支持部5 は引張器3 を伴って異なる角度に調節され（図２及び図３参照）、異なる使用者の異なる要求に応じることができる。
【００１８】
図１に示すとおり、前記ランニング台2 の後方両側21には、軸桿210 に中心が傾いている多辺形足部24を設け、また軸桿210 を軸回転可能で、軸桿210 を回転すると、相対して多辺形足部24を地面を支える高さに変更できる。
また、前記ランニング台2 は、電動式もしくは非電動式のランニング台とすることも可能である。
また、前記基本体1 両側の枠体11に接続するハンドル12はそれぞれ軸回転可能な棒体121 を具え、定位溝1211を具える棒体121 には、引張器3 の引張縄32を引っ掛けてぶら下げることも可能である。（図４、図１８及び図１９参照）
【図面の簡単な説明】
【００１９】
【図１】本考案実施例の側面図である。
【図２】本考案実施例において、ランニングしながら両手で引張器を交互に引張っている使用状態見取図である。
【図３】本考案実施例において、ただ単純にランニングしている使用状態見取図である。
【図４】本考案実施例において、ただ単純にランニングしている使用状態、且つ、引張縄の一端をハンドルに引っ掛けた状態の見取図である。
【図５】本考案実施例の引張器と支持部の平面組立図である。
【図６】本考案実施例の引張器と支持部の平面分解図である。
【図７】本考案実施例の引張器と接続管の立体分解図である。
【図８】本考案実施例に関する引張器の糸巻車を別の角度から見た立体図である。
【図９】本考案実施例の引張器と接続管の立体組立図である。
【図１０】本考案実施例に関する引張器の第二カバーと負荷調節装置を別の角度から見た立体図である。
【図１１】本考案実施例に関する引張器の第二カバーと負荷調節装置の平面見取図である。
【図１２】本考案実施例に関する引張器の第二カバーと負荷調節装置の回転ツマミを調節した後の平面見取図である。
【図１３】本考案実施例に関する支持部、プッシュ体、バネ、支持部カバーとランニング台の後方に接続した定位管の立体分解図である。
【図１４】本考案実施例に関する支持部、プッシュ体、バネ、支持部カバーとランニング台の後方に接続した定位管の立体組立図である。
【図１５】本考案実施例に関する支持部、プッシュ体、バネ、支持部カバーとランニング台の後方に接続した定位管の別の角度から見た立体図である。
【図１６】本考案実施例に関する支持部、プッシュ体、バネ、支持部カバーとランニング台の後方に接続した定位管の断面見取図である。
【図１７】本考案実施例に関する支持部、プッシュ体、バネ、支持部カバーとランニング台の後方に接続した定位管の断面動作見取図である。
【図１８】本考案実施例の部分上面見取図である。
【図１９】本考案実施例におけるハンドルの前方側面を軸回転した後の部分上面平面図である。
【図２０】本考案実施例に関する糸巻車の車体の一側面の下蓋を開いた後の部分断面平面拡大図である。
【符号の説明】
【００２０】
１        基本体
１１      枠体
１２      ハンドル
１２１    棒体
１２１１  定位溝
２        ランニング台
２１      両側
２１０    軸桿
２１１    定位管
２１１１  定位凹溝
２１２    定位凸縁
２１２１  外側
２１２２  内側
２４      多辺形足部
３        引張器
３０      接続管
３０１    定位孔
３０３    定位孔
３１      取手
３２      引張縄
３３      糸巻車
３３０    凹溝空間
３３０１  引掛溝
３３１    一方向軸受
３３２    固定体
３３２１  軸管
３３２２  桿体
３３３    渦巻状バネ
３３３１  一端
３３４    下蓋
３３４１  穿孔
３４      回転車
３４１    車軸
３４１１  一端
３４１２  一端
３５      カバー
３５１    定位柱
３５２    枢着体
３５２１  軸孔
３５３    突出部
３５４    半円形部
３５４１  定位柱
３６      第二カバー
３６０    軸受
３６１    枢着溝
３６３    突出部
３６３１  定位溝
３６４    半円形部
３６４１  定位柱
３６５    導螺管支持体
３６６    定位仕切版
３６７    導螺管
３６８    回転ツマミ
３６９    スライド体
３７      定位体
３７１    穿孔
３７２    嵌合溝
３８      固定桿
３８０    制止部品
３８１    一端
３９      定位柱
４        負荷板
４０      バネ
４０１    一端
４０２    一端
４１      一端
４２      一端
５        支持部
５１      定位嵌合部
５３      嵌入管
５３１    定位桿
５３２    内側
５３３    内螺着孔
５４      バネ
５５      プッシュ体
５５３    螺着部
５６、５７  支持部カバー
【図１】
0003123224.tif 000003
【図２】
0003123224.tif 000004
【図３】
0003123224.tif 000005
【図４】
0003123224.tif 000006
【図５】
0003123224.tif 000007
【図６】
0003123224.tif 000008
【図７】
0003123224.tif 000009
【図８】
0003123224.tif 000010
【図９】
0003123224.tif 000011
【図１０】
0003123224.tif 000012
【図１１】
0003123224.tif 000013
【図１２】
0003123224.tif 000014
【図１３】
0003123224.tif 000015
【図１４】
0003123224.tif 000016
【図１５】
0003123224.tif 000017
【図１６】
0003123224.tif 000018
【図１７】
0003123224.tif 000019
【図１８】
0003123224.tif 000020
【図１９】
0003123224.tif 000021
【図２０】
0003123224.tif 000022